(57)【要約】【課題】浴槽の洗い場側のフランジ部の中間部の下面に従来のような中垂下片をフランジ部と一体又は別体に設けずに、化粧エプロンの上端部を浴槽のフランジ部の洗い場側の端部から垂下される垂下片と防水エプロンとの間に固定することができる浴室のエプロンの取付構造を提供する。【解決手段】浴室の洗い場となる部分に床パン１を設置し、洗い場に隣接する浴槽設置部２０に浴槽２を設置し、防水エプロン３の上端部３１を浴槽２の洗い場側のフランジ部２１の下面に固定すると共に下端部を床パン１の浴槽２側の端部に固定し、防水エプロン３の上端部３１の洗い場側の面に押圧部材５を接着により又は該防水エプロン３と一体成形することにより設け、化粧エプロン４の上端部４１を、浴槽２のフランジ部２１の洗い場側の端部から垂下される垂下片２２と前記押圧部材５との間に挿入して挟持させ、化粧エプロン４の下端部を床パン１の浴槽２側の端部に固定する。【選択図】        図１
2011067442.tif 000002
【特許請求の範囲】
【請求項１】
浴室の洗い場となる部分に床パンを設置し、洗い場に隣接する浴槽設置部に浴槽を設置し、防水エプロンの上端部を浴槽の洗い場側のフランジ部の下面に固定すると共に下端部を床パンの浴槽側の端部に固定し、防水エプロンの上端部の洗い場側の面に押圧部材を接着により又は該防水エプロンと一体成形することにより設け、化粧エプロンの上端部を、浴槽のフランジ部の洗い場側の端部から垂下される垂下片と前記押圧部材との間に挿入して挟持させ、化粧エプロンの下端部を床パンの浴槽側の端部に固定して成ることを特徴とする浴室のエプロンの取付構造。
【発明の詳細な説明】
【技術分野】
【０００１】
本発明は、浴室のエプロンの構造に関するものである。
【背景技術】
【０００２】
従来より、床ハーフ方式の浴室ユニットが知られている（例えば特許文献１参照）。これは、図３に示すように、床面の洗い場となる部分に床パン１を設置すると共に、洗い場に隣接する浴槽設置部２０に浴槽２を設置し、浴槽２のフランジ部２１の洗い場側の端部と、床パン１の浴槽２側の端部との間にエプロン３、４を配置し、床パン１の三辺（浴槽２側の辺を除く外周辺）及び浴槽２の三辺（洗い場側の辺を除く外周辺）に図示しない壁パネル及びドア枠を立設し、壁パネル及びドア枠の上端部に天井パネルを載置固定して浴室ユニットを構成するものである。
【０００３】
エプロンは、二重構造となっており、洗い場側から見て外側（すなわち浴槽設置部２０側）の防水エプロン３の内側に、化粧エプロン４が配置される。
【０００４】
防水エプロン３は、図４に示すように、上端部３１をパッキン３３を介して浴槽２の洗い場側のフランジ部２１の下面に押圧して取り付けると共に、下端部３２を床パン１の浴槽２側の端部に取り付け、また化粧エプロン４は、上端部４１を浴槽２の洗い場側のフランジ部２１の下面の防水エプロン３の上端部３１を取り付けた部分よりも内側（洗い場側）の部分に取り付けると共に、下端部４２を床パン１の浴槽２側の端部に取り付けるものである。
【０００５】
更に説明すると、化粧エプロン４の上端部４１は、フランジ部２１の洗い場側の端部から垂下される垂下片２２の浴槽２側の面と、フランジ部２１の中間部の下面から垂下される中垂下片２３の洗い場側の面とで挟持される。
【０００６】
中垂下片２３は、フランジ部２１の中間部の下面から該フランジ部２１と一体成形により設けられるもので、ＦＲＰ（繊維強化プラスチック）のＳＭＣ（シートモールディングコンパウンド）プレス工程により成形される。しかしながら浴槽２をアクリルやポリエステル系の注型工法で製作する場合には、一体成形することができなかった。そこでこの場合には、図５に示すように、中垂下片２３’を接着により後付けでフランジ部２１の下面に設けることが考えられた。
【０００７】
しかしながら、中垂下片２３’に化粧エプロン４からの押圧力がかかると、中垂下片２３の基端部の接着箇所の接着力が弱い場合には接着箇所にモーメントがかかって剥がれてしまい、強度に問題があるものであった。
【先行技術文献】
【特許文献】
【０００８】
【特許文献１】特開２０００−５０９０号公報
【発明の概要】
【発明が解決しようとする課題】
【０００９】
本発明は上記従来の問題点に鑑みて発明したものであって、その目的とするところは、浴槽の洗い場側のフランジ部の中間部の下面に従来のような中垂下片をフランジ部と一体又は別体に設けずに、化粧エプロンの上端部を浴槽のフランジ部の洗い場側の端部から垂下される垂下片と防水エプロンとの間に固定することができる浴室のエプロンの取付構造を提供することを課題とするものである。
【課題を解決するための手段】
【００１０】
上記課題を解決するために請求項１に係る発明にあっては、浴室の洗い場となる部分に床パン１を設置し、洗い場に隣接する浴槽設置部２０に浴槽２を設置し、防水エプロン３の上端部３１を浴槽２の洗い場側のフランジ部２１の下面に固定すると共に下端部を床パン１の浴槽２側の端部に固定し、防水エプロン３の上端部３１の洗い場側の面に押圧部材５を接着により又は該防水エプロン３と一体成形することにより設け、化粧エプロン４の上端部４１を、浴槽２のフランジ部２１の洗い場側の端部から垂下される垂下片２２と前記押圧部材５との間に挿入して挟持させ、化粧エプロン４の下端部を床パン１の浴槽２側の端部に固定して成ることを特徴とするものである。
【発明の効果】
【００１１】
本発明においては、防水エプロンの上端部の洗い場側の面と化粧エプロンの上端部の浴槽側の面との間に介在する押圧部材により、化粧エプロンを洗い場側に押圧するため、押圧部材は圧縮力を受けるだけで、従来の中垂下片のように基端部にモーメントがかかることがなく、従来のものと比べて部材が破損する惧れが低いものである。
【図面の簡単な説明】
【００１２】
【図１】本発明の一実施形態の要部断面図である。
【図２】浴室ユニットの分解斜視図である。
【図３】従来例の床パン及び浴槽の防水エプロン及び化粧エプロンを設けた部分の断面図である。
【図４】同上の要部断面図である。
【図５】従来の他例の要部断面図である。
【発明を実施するための形態】
【００１３】
本発明においては、浴室として床ハーフ方式の浴室ユニットが設置される。床ハーフ方式の浴室ユニットは、図２に示すように、床パン１と、浴槽２と、浴槽２と床パン１との間に設けるエプロン（防水エプロン３及び化粧エプロン４）、壁パネル６からなる浴室壁と、天井パネル７からなる浴室天井とで浴室ユニットＵが構成される。更に詳述すると、建物躯体の浴室スペースの洗い場となる床面に床パン１を設置し、浴室スペースの床面において洗い場に隣接し浴槽２が設置される浴槽設置部２０に浴槽２を設置し、浴槽２のフランジ部２１と床パン１の浴槽２側の端部との間に防水エプロン３を設ける。
【００１４】
そして、洗い場となる部分においては、設置した床パン１の周縁部（但し、浴槽２と隣接する端縁は除く）から上方に壁パネル６を立設し、浴槽２が設置される部分においては、設置した浴槽２の上端部のフランジ部２１の周縁部（但し、洗い場と隣接する端縁は除く）から上方に壁パネル６を立設し、また必要に応じて浴室壁の替わりにドア枠（図示せず）を立設して、壁パネル６又は、壁パネル６及びドア枠からなる浴室壁を構成している。そして、浴室壁の上端部に天井パネル７を載置固定して浴室天井を構成している。
【００１５】
エプロンは、図２に示すように二重構造となっており、洗い場側から見て外側（すなわち浴槽設置部２０側）の防水エプロン３の内側に、化粧エプロン４が配置される。
【００１６】
防水エプロン３は、上端部３１を浴槽２の洗い場側のフランジ部２１の下面に取り付けると共に、下端部を床パン１の浴槽２側の端部に取り付けることで、洗い場から浴槽設置部２０へ至る連通口を閉塞し、床パン１の洗い場から浴槽設置部２０へと浴水が進入するのを防止している。
【００１７】
化粧エプロン４は、上端部４１を浴槽２の洗い場側のフランジ部２１の下面の防水エプロン３の上端部３１を取り付けた部分よりも内側（洗い場側）の部分に取り付けると共に、下端部を床パン１の浴槽２側の端部に取り付けることで、防水エプロン３の内側に位置させることで、洗い場から防水エプロン３が見えないように隠している。
【００１８】
防水エプロン３及び化粧エプロン４の下端部の床パン１への取り付けは、ビス止めによるものであったり、あるいは防水エプロン３及び化粧エプロン４の下端部に係合部を設けると共に床パン１に被係合部を設けて、係合部を側方より移動させて被係合部に係合させるものであってもよく、特に限定されない。
【００１９】
本発明の特徴である、防水エプロン３及び化粧エプロン４の上端部４１の浴槽２のフランジ部２１への取付けについて説明する。
【００２０】
防水エプロン３の上端部３１は、図１に示すように、本実施形態では略コ字状に屈曲されており、その上面がパッキン３３を介して浴槽２のフランジ部２１の下面に上方に押圧され、フランジ部２１に取付けられる。なお、防水エプロン３の上端部３１は本実施形態のように略コ字状に屈曲されている必要はないが、上面が略水平な面となっている。
【００２１】
化粧エプロン４の上端部４１は、本実施形態では浴槽２側に凹む略Ｌ字状に屈曲してあり、その上端部４１がフランジ部２１の洗い場側の端部から垂下される垂下片２２の浴槽２側の面と、防水エプロン３の上端部３１の洗い場側の面との間で挟持される。更に詳述すると、化粧エプロン４の上端部４１の浴槽２側の面と防水エプロン３の上端部３１の洗い場側の面との間に押圧部材５（スペーサ）を介在させる。押圧部材５は、防水エプロン３の左右方向に部分的に設けられるピース材で、防水エプロン３と一体形成するか、あるいは防水エプロン３に接着剤により後付けで固定する。図に示す実施形態では、防水エプロン３の上端部３１の略コ字状に屈曲した部分の浴槽２側の面に、接着剤により後付けで固定してある。
【００２２】
本発明においては、防水エプロン３の上端部３１の洗い場側の面と、化粧エプロン４の上端部４１の浴槽２側の面との間に介在する押圧部材５により、化粧エプロン４を洗い場側に押圧するため、押圧部材５は圧縮力を受けるだけで、従来の中垂下片２３、２３’のように基端部にモーメントがかかることがないため、従来のものと比べて部材が破損する惧れが低いものである。
【符号の説明】
【００２３】
Ｕ    浴室ユニット
１    床パン
２    浴槽
２０  浴槽設置部
２１  フランジ部
２２  垂下片
３    防水エプロン
３１  上端部
３２  下端部
３３  パッキン
４    化粧エプロン
４１  上端部
４２  下端部
５    押圧部材
６    壁パネル
７    天井パネル
【図１】
2011067442.tif 000003
【図２】
2011067442.tif 000004
【図３】
2011067442.tif 000005
【図４】
2011067442.tif 000006
【図５】
2011067442.tif 000007